(57)【要約】【課題】本発明は国情に基づいた小型農業用耕耘機を開示した。【解決手段】ハウジングを含み、前記モータの中には前記動力チャンバの底壁と回転できるように連結されたモータ軸が連結され、前記モータ軸の上側には第三ベベルギヤが固定的に設置され、前記モータ軸の中側には回転スライダが回転できるように連結され、前記モータ軸の下側が下方へ伸びて前記動力チャンバの底壁を貫通して前記駆動チャンバの中に入っており、まく予定の種を前記種溝の中に入れ、そして前記モータを始動し、これにより前記モータ軸を連動させて回転させ、本装置は体積が小さく、機能が多く、一人で操作できるなどのメリットを有し、我が国は農地の面積が小さいため、大型機械を使用して耕耘できない問題を克服し、同時に本装置は耕耘すると同時に種をまくことや注水することができる。【選択図】図１
2020182442.tif 000002
【特許請求の範囲】
【請求項１】
正面視で、ハウジングを含み、
前記ハウジングの中には動力チャンバが設置され、前記動力チャンバの下側には駆動チャンバが設置され、前記動力チャンバと前記駆動チャンバとの間には農作装置が設置され、
前記農作装置は前記動力チャンバの頂壁に固定的に装着されたモータを含み、前記モータの中には前記動力チャンバの底壁と回転できるように連結されたモータ軸が連結され、前記モータ軸の上側には第三ベベルギヤが固定的に設置され、前記モータ軸の中側には回転スライダが回転できるように連結され、前記モータ軸の下側が下方へ伸びて前記動力チャンバの底壁を貫通して前記駆動チャンバの中に入っており、且つ前記駆動チャンバの頂壁と回転できるように連結され、前記モータ軸の下側には第一ベベルギヤが固定的に設置され、前記駆動チャンバの前後両側には掘り溝が対称的に設置され、前記駆動チャンバの前後側壁には横軸が回転できるように連結され、前記横軸のうち前記駆動チャンバの中に位置している部分には前記第一ベベルギヤと噛み合っている第二ベベルギヤが固定的に設置され、前記横軸の両側が前後へ伸びて前記駆動チャンバの前後側壁を貫通して前記掘り溝の中に入っており、且つ前記掘り溝の片側壁と回転できるように連結され、前記横軸のうち前記掘り溝の中に位置している部分にはそれぞれ土を掘り返すことができる二つの土掘り返し器が前後対称的に設置され、前記横軸の前後両側にはまた第四ベベルギヤが対称的に固定的に設置されたことを特徴とする国情に基づいた小型農業用耕耘機。
【請求項２】
前記掘り溝の片側壁には輪溝が前後対称的に設置され、前記輪溝の中には前記ハウジングの前進や後退や転向を駆動できる回転装置が設置され、前記ハウジングの右側面には握りロッドが前後対称的に設置され、前記握りロッドと前記ハウジングの中には油チャンバが設置され、前記油チャンバと前記掘り溝との間には前記ハウジングを駆動して転向させることができる制御装置が設置され、前記動力チャンバの右側には水箱が設置され、前記水箱と前記動力チャンバの中には注水できる注水装置が設置され、前記動力チャンバの右側壁の上下にはそれぞれバネスライド溝と長板スライド溝とが設置され、前記長板スライド溝と前記動力チャンバの中には前記注水装置の開閉を制御できる起動装置が設置され、前記長板スライド溝の底壁には連結管が左右対称的に設置され、二つの前記連結管の底側が連通しており、且つ二つの前記連結管の底側には下方へ開口した種出管が設置され、前記長板スライド溝の頂壁には種を詰めることができる種溝が設置されたことを特徴とする請求項１に記載の国情に基づいた小型農業用耕耘機。
【請求項３】
前記回転装置は前記輪溝の中に左右対称的に回転できるように装着された車輪軸を含み、前記車輪軸には車輪が固定的に設置され、前記車輪軸の片側が前記掘り溝の方向へ伸びて前記輪溝の片側端壁を貫通して前記掘り溝の中に入っており、且つ前記掘り溝の片側端壁と回転できるように連結され、前記車輪軸の片側には第六ベベルギヤが固定的に設置されたことを特徴とする請求項１に記載の国情に基づいた小型農業用耕耘機。
【請求項４】
前記制御装置は前記油チャンバの頂壁に設置された上方へ開口した開口溝を含み、前記開口溝の中には引き動かしブロックがスライドできるように連結され、前記引き動かしブロックと前記油チャンバとの間には小バネが連結され、前記引き動かしブロックの左側面には密封長ロッドが固定的に設置され、前記密封長ロッドの片側には前記油チャンバとスライドできるように連結された密封スライダが固定的に設置され、前記油チャンバの中にはまた液圧板がスライドできるように連結され、前記液圧板と前記密封スライダとの間には作動油が設置され、前記液圧板の底端には前記油チャンバの底壁と前記掘り溝の頂壁とスライドできるように連結された液圧軸が回転できるように連結され、前記液圧軸の下側には前記第六ベベルギヤと前記第四ベベルギヤと噛み合うことができる第五ベベルギヤが固定的に設置されたことを特徴とする請求項１に記載の国情に基づいた小型農業用耕耘機。
【請求項５】
前記注水装置は前記水箱の後側壁に設置された加水口を含み、前記水箱の底壁には前記長板スライド溝に連通した水出パイプが設置され、前記水箱の底壁にはウォータポンプが固定的に設置され、前記ウォータポンプの中には前記水箱の左側壁と回転できるように連結されたウォータポンプ軸が設置され、前記ウォータポンプ軸が左方へ伸びて前記水箱の左側壁を貫通して前記動力チャンバの中に入っており、且つ前記動力チャンバの右側壁と回転できるように連結され、前記ウォータポンプ軸の上側にはスライドキーが固定的に設置され、前記スライドキーと前記ウォータポンプ軸には移動軸がスライドできるように連結され、前記移動軸には前記第三ベベルギヤと噛み合うことができる第七ベベルギヤが固定的に設置され、前記移動軸には環状溝が設置され、前記バネスライド溝の中にはバネスライダがスライドできるように連結され、前記バネスライダと前記バネスライド溝との間には復帰バネが連結され、前記バネスライダの左側が前記動力チャンバの前後側壁とスライドできるように連結され、前記バネスライダが前記モータ軸と当接することができ、前記バネスライダの頂面には前記環状溝とスライドできるように連結された連動ロッドが固定的に設置されたことを特徴とする請求項１に記載の国情に基づいた小型農業用耕耘機。
【請求項６】
前記起動装置は前記長板スライド溝の中にスライドできるように装着された長板を含み、前記長板の中には前記連結管と、前記種溝と、前記水出パイプと連通できる抜き孔が左右対称的に設置され、前記長板の左端にはヒンジ連結ロッドがヒンジにより連結され、前記ヒンジ連結ロッドが前記回転スライダと固定的に連結されたことを特徴とする請求項１に記載の国情に基づいた小型農業用耕耘機。
【請求項７】
前記車輪はゴムにより制作されるので、田畑を耕す過程において壊れにくいことを特徴とする請求項１に記載の国情に基づいた小型農業用耕耘機。
【請求項８】
前記密封スライダと前記液圧板とが前記油チャンバに密着しており、前記密封スライダと前記液圧板とがスライドする時、前記油チャンバの中の作動油の漏れは発生しないことを特徴とする請求項３に記載の国情に基づいた小型農業用耕耘機。
【請求項９】
前記復帰バネの弾性が一番大きい時、前記第七ベベルギヤが前記第三ベベルギヤと噛み合っていることを特徴とする請求項１に記載の国情に基づいた小型農業用耕耘機。
【発明の詳細な説明】
【技術分野】
【０００１】
本発明は農作分野を取り上げて、具体的には国情に基づいた小型農業用耕耘機である。
【背景技術】
【０００２】
中国には山が多くて平地が少ないため、ほとんどの農地は面積が小さく、各農地の間の高さが凸凹である等の問題が存在しており、こういう田畑を耕す過程において、大型の農業用機械を使用して耕耘できなく、人力又は小型の農業用工具を使用して耕耘することしかできなく、しかし、小型の農業用工具の機能が単一であり、ただ土を掘り返すことだけができ、種をまくことや注水すること等ができないので、農業用工具の実用性が比較的に低い。
【先行技術文献】
【特許文献】
【０００３】
【特許文献１】中国特許出願公開第１０５４３７８７３号明細書
【発明の概要】
【発明が解決しようとする課題】
【０００４】
本発明は国情に基づいた小型農業用耕耘機を提供し、上記背景技術において提出した問題を解決することを目的とする。
【課題を解決するための手段】
【０００５】
上記の目的を実現するために、本発明は以下の技術プランを提供する：国情に基づいた小型農業用耕耘機は、ハウジングを含み、
前記ハウジングの中には動力チャンバが設置され、前記動力チャンバの下側には駆動チャンバが設置され、前記動力チャンバと前記駆動チャンバとの間には農作装置が設置され、
前記農作装置は前記動力チャンバの頂壁に固定的に装着されたモータを含み、前記モータの中には前記動力チャンバの底壁と回転できるように連結されたモータ軸が連結され、前記モータ軸の上側には第三ベベルギヤが固定的に設置され、前記モータ軸の中側には回転スライダが回転できるように連結され、前記モータ軸の下側が下方へ伸びて前記動力チャンバの底壁を貫通して前記駆動チャンバの中に入っており、且つ前記駆動チャンバの頂壁と回転できるように連結され、前記モータ軸の下側には第一ベベルギヤが固定的に設置され、前記駆動チャンバの前後両側には掘り溝が対称的に設置され、前記駆動チャンバの前後側壁には横軸が回転できるように連結され、前記横軸のうち前記駆動チャンバの中に位置している部分には前記第一ベベルギヤと噛み合っている第二ベベルギヤが固定的に設置され、前記横軸の両側が前後へ伸びて前記駆動チャンバの前後側壁を貫通して前記掘り溝の中に入っており、且つ前記掘り溝の片側壁と回転できるように連結され、前記横軸のうち前記掘り溝の中に位置している部分にはそれぞれ土を掘り返すことができる二つの土掘り返し器が前後対称的に設置され、前記横軸の前後両側にはまた第四ベベルギヤが対称的に固定的に設置され、
前記掘り溝の片側壁には輪溝が前後対称的に設置され、前記輪溝の中には前記ハウジングの前進や後退や転向を駆動できる回転装置が設置され、前記ハウジングの右側面には握りロッドが前後対称的に設置され、前記握りロッドと前記ハウジングの中には油チャンバが設置され、前記油チャンバと前記掘り溝との間には前記ハウジングを駆動して転向させることができる制御装置が設置され、前記動力チャンバの右側には水箱が設置され、前記水箱と前記動力チャンバの中には注水できる注水装置が設置され、前記動力チャンバの右側壁の上下にはそれぞれバネスライド溝と長板スライド溝とが設置され、前記長板スライド溝と前記動力チャンバの中には前記注水装置の開閉を制御できる起動装置が設置され、前記長板スライド溝の底壁には連結管が左右対称的に設置され、二つの前記連結管の底側が連通しており、且つ二つの前記連結管の底側には下方へ開口した種出管が設置され、前記長板スライド溝の頂壁には種を詰めることができる種溝が設置された。
【０００６】
上記の技術プランに基づいて、前記回転装置は前記輪溝の中に左右対称的に回転できるように装着された車輪軸を含み、前記車輪軸には車輪が固定的に設置され、前記車輪軸の片側が前記掘り溝の方向へ伸びて前記輪溝の片側端壁を貫通して前記掘り溝の中に入っており、且つ前記掘り溝の片側端壁と回転できるように連結され、前記車輪軸の片側には第六ベベルギヤが固定的に設置された。
【０００７】
上記の技術プランに基づいて、前記制御装置は前記油チャンバの頂壁に設置された上方へ開口した開口溝を含み、前記開口溝の中には引き動かしブロックがスライドできるように連結され、前記引き動かしブロックと前記油チャンバとの間には小バネが連結され、前記引き動かしブロックの左側面には密封長ロッドが固定的に設置され、前記密封長ロッドの片側には前記油チャンバとスライドできるように連結された密封スライダが固定的に設置され、前記油チャンバの中にはまた液圧板がスライドできるように連結され、前記液圧板と前記密封スライダとの間には作動油が設置され、前記液圧板の底端には前記油チャンバの底壁と前記掘り溝の頂壁とスライドできるように連結された液圧軸が回転できるように連結され、前記液圧軸の下側には前記第六ベベルギヤと前記第四ベベルギヤと噛み合うことができる第五ベベルギヤが固定的に設置された。
【０００８】
上記の技術プランに基づいて、前記注水装置は前記水箱の後側壁に設置された加水口を含み、前記水箱の底壁には前記長板スライド溝に連通した水出パイプが設置され、前記水箱の底壁にはウォータポンプが固定的に設置され、前記ウォータポンプの中には前記水箱の左側壁と回転できるように連結されたウォータポンプ軸が設置され、前記ウォータポンプ軸が左方へ伸びて前記水箱の左側壁を貫通して前記動力チャンバの中に入っており、且つ前記動力チャンバの右側壁と回転できるように連結され、前記ウォータポンプ軸の上側にはスライドキーが固定的に設置され、前記スライドキーと前記ウォータポンプ軸には移動軸がスライドできるように連結され、前記移動軸には前記第三ベベルギヤと噛み合うことができる第七ベベルギヤが固定的に設置され、前記移動軸には環状溝が設置され、前記バネスライド溝の中にはバネスライダがスライドできるように連結され、前記バネスライダと前記バネスライド溝との間には復帰バネが連結され、前記バネスライダの左側が前記動力チャンバの前後側壁とスライドできるように連結され、前記バネスライダが前記モータ軸と当接することができ、前記バネスライダの頂面には前記環状溝とスライドできるように連結された連動ロッドが固定的に設置された。
【０００９】
上記の技術プランに基づいて、前記起動装置は前記長板スライド溝の中にスライドできるように装着された長板を含み、前記長板の中には前記連結管と、前記種溝と、前記水出パイプと連通できる抜き孔が左右対称的に設置され、前記長板の左端にはヒンジ連結ロッドがヒンジにより連結され、前記ヒンジ連結ロッドが前記回転スライダと固定的に連結された。
【００１０】
上記の技術プランに基づいて、前記車輪はゴムにより制作されるので、田畑を耕す過程において壊れにくい。
【００１１】
上記の技術プランに基づいて、前記密封スライダと前記液圧板とが前記油チャンバに密着しており、前記密封スライダと前記液圧板とがスライドする時、前記油チャンバの中の作動油の漏れは発生しない。
【００１２】
上記の技術プランに基づいて、前記復帰バネの弾性が一番大きい時、前記第七ベベルギヤが前記第三ベベルギヤと噛み合っている。
【発明の効果】
【００１３】
以上により、本発明の有益効果は：本装置は体積が小さく、機能が多く、一人で操作できるなどのメリットを有し、我が国は農地の面積が小さいため、大型機械を使用して耕耘できない問題を克服し、同時に本装置は耕耘すると同時に種をまくことや注水することができ、現有の小型の農業用機械の機能が単一である欠点を克服し、同時に二つの車輪のうち一つが回転してもう一つが回転しないことにより転向を実現し、タンクの転向方式を真似、曲がる半径が小さいメリットを有し、種をまく機能や注水の機能を使用したくない時、装置に水や種を入れなければ良く、また本装置には四つの土掘り返し器が装着され、これにより本装置の作業効率を上げる。
【図面の簡単な説明】
【００１４】
下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１５】
【図１】図１は本発明の国情に基づいた小型農業用耕耘機の全体全断面の正面構成模式図
【図２】図２は本発明の図１の左側面の全体全断面の構成模式図
【図３】図３は本発明の図１の中のＡのところの部分拡大図
【図４】図４は本発明の図２の中のＢ―Ｂ方向の模式図
【発明を実施するための形態】
【００１６】
本発明書に開示した全ての特徴、或いは開示した全ての方法、過程中のステップは、互いに排斥する特徴或いはステップ以外に、いかなる方式で組み合わせることができる。
【００１７】
本発明書に開示した全ての特徴は、特別な叙述がない限り、そのほかの同等或いは類似する目的を持つ代替特徴に取り替えられる。つまり特別な叙述がない限り、全ての特徴はただ一連の同等或いは類似する特徴の中の一つの例だけである。
【００１８】
図１〜４を参照し、本発明の実施例の国情に基づいた小型農業用耕耘機は、ハウジング２１を含み、前記ハウジング２１の中には動力チャンバ３８が設置され、前記動力チャンバ３８の下側には駆動チャンバ２５が設置され、前記動力チャンバ３８と前記駆動チャンバ２５との間には農作装置１０１が設置され、前記農作装置１０１は前記動力チャンバ３８の頂壁に固定的に装着されたモータ４０を含み、前記モータ４０の中には前記動力チャンバ３８の底壁と回転できるように連結されたモータ軸４１が連結され、前記モータ軸４１の上側には第三ベベルギヤ３９が固定的に設置され、前記モータ軸４１の中側には回転スライダ５１が回転できるように連結され、前記モータ軸４１の下側が下方へ伸びて前記動力チャンバ３８の底壁を貫通して前記駆動チャンバ２５の中に入っており、且つ前記駆動チャンバ２５の頂壁と回転できるように連結され、前記モータ軸４１の下側には第一ベベルギヤ２６が固定的に設置され、前記駆動チャンバ２５の前後両側には掘り溝３７が対称的に設置され、前記駆動チャンバ２５の前後側壁には横軸２７が回転できるように連結され、前記横軸２７のうち前記駆動チャンバ２５の中に位置している部分には前記第一ベベルギヤ２６と噛み合っている第二ベベルギヤ２８が固定的に設置され、前記横軸２７の両側が前後へ伸びて前記駆動チャンバ２５の前後側壁を貫通して前記掘り溝３７の中に入っており、且つ前記掘り溝３７の片側壁と回転できるように連結され、前記横軸２７のうち前記掘り溝３７の中に位置している部分にはそれぞれ土を掘り返すことができる二つの土掘り返し器４７が前後対称的に設置され、前記横軸２７の前後両側にはまた第四ベベルギヤ４８が対称的に固定的に設置され、前記掘り溝３７の片側壁には輪溝４５が前後対称的に設置され、前記輪溝４５の中には前記ハウジング２１の前進や後退や転向を駆動できる回転装置１０２が設置され、前記ハウジング２１の右側面には握りロッド６３が前後対称的に設置され、前記握りロッド６３と前記ハウジング２１の中には油チャンバ４２が設置され、前記油チャンバ４２と前記掘り溝３７との間には前記ハウジング２１を駆動して転向させることができる制御装置１０３が設置され、前記動力チャンバ３８の右側には水箱７０が設置され、前記水箱７０と前記動力チャンバ３８の中には注水できる注水装置１０４が設置され、前記動力チャンバ３８の右側壁の上下にはそれぞれバネスライド溝５６と長板スライド溝３５とが設置され、前記長板スライド溝３５と前記動力チャンバ３８の中には前記注水装置１０４の開閉を制御できる起動装置１０５が設置され、前記長板スライド溝３５の底壁には連結管３２が左右対称的に設置され、二つの前記連結管３２の底側が連通しており、且つ二つの前記連結管３２の底側には下方へ開口した種出管３１が設置され、前記長板スライド溝３５の頂壁には種を詰めることができる種溝２２が設置された。
【００１９】
他に、一つの実施例の中、前記回転装置１０２は前記輪溝４５の中に左右対称的に回転できるように装着された車輪軸４６を含み、前記車輪軸４６には車輪２９が固定的に設置され、前記車輪軸４６の片側が前記掘り溝３７の方向へ伸びて前記輪溝４５の片側端壁を貫通して前記掘り溝３７の中に入っており、且つ前記掘り溝３７の片側端壁と回転できるように連結され、前記車輪軸４６の片側には第六ベベルギヤ５０が固定的に設置され、これにより前記第六ベベルギヤ５０が回転する時、前記車輪軸４６と前記車輪２９とを連動させて回転させ、二つの前記車輪２９の順方向と逆方向への回転により前記ハウジング２１の前進と後退を制御し、前記車輪２９のうち一つが回転してもう一つが回転しないことにより前記ハウジング２１の転向を制御する。
【００２０】
他に、一つの実施例の中、前記制御装置１０３は前記油チャンバ４２の頂壁に設置された上方へ開口した開口溝６７を含み、前記開口溝６７の中には引き動かしブロック６４がスライドできるように連結され、前記引き動かしブロック６４と前記油チャンバ４２との間には小バネ６８が連結され、前記引き動かしブロック６４の左側面には密封長ロッド６６が固定的に設置され、前記密封長ロッド６６の片側には前記油チャンバ４２とスライドできるように連結された密封スライダ６５が固定的に設置され、前記油チャンバ４２の中にはまた液圧板４３がスライドできるように連結され、前記液圧板４３と前記密封スライダ６５との間には作動油が設置され、前記液圧板４３の底端には前記油チャンバ４２の底壁と前記掘り溝３７の頂壁とスライドできるように連結された液圧軸４４が回転できるように連結され、前記液圧軸４４の下側には前記第六ベベルギヤ５０と前記第四ベベルギヤ４８と噛み合うことができる第五ベベルギヤ４９が固定的に設置され、これにより曲がる時、片側の前記引き動かしブロック６４を上方へ引き動かし、これにより前記密封長ロッド６６と前記密封スライダ６５とを連動させて上方へ移動させ、これにより作動油により前記液圧板４３と、前記液圧軸４４と、前記第五ベベルギヤ４９とを連動させて上方へ移動させ、これにより前記第五ベベルギヤ４９が前記第六ベベルギヤ５０と前記第四ベベルギヤ４８との噛み合いから離脱し、これにより片側の前記車輪２９が回転できなく、これにより転向を完成する。
【００２１】
他に、一つの実施例の中、前記注水装置１０４は前記水箱７０の後側壁に設置された加水口２４を含み、前記水箱７０の底壁には前記長板スライド溝３５に連通した水出パイプ３６が設置され、前記水箱７０の底壁にはウォータポンプ２３が固定的に設置され、前記ウォータポンプ２３の中には前記水箱７０の左側壁と回転できるように連結されたウォータポンプ軸５９が設置され、前記ウォータポンプ軸５９が左方へ伸びて前記水箱７０の左側壁を貫通して前記動力チャンバ３８の中に入っており、且つ前記動力チャンバ３８の右側壁と回転できるように連結され、前記ウォータポンプ軸５９の上側にはスライドキー６０が固定的に設置され、前記スライドキー６０と前記ウォータポンプ軸５９には移動軸７１がスライドできるように連結され、前記移動軸７１には前記第三ベベルギヤ３９と噛み合うことができる第七ベベルギヤ６２が固定的に設置され、前記移動軸７１には環状溝６１が設置され、前記バネスライド溝５６の中にはバネスライダ５５がスライドできるように連結され、前記バネスライダ５５と前記バネスライド溝５６との間には復帰バネ５７が連結され、前記バネスライダ５５の左側が前記動力チャンバ３８の前後側壁とスライドできるように連結され、前記バネスライダ５５が前記モータ軸４１と当接することができ、前記バネスライダ５５の頂面には前記環状溝６１とスライドできるように連結された連動ロッド５８が固定的に設置され、これにより前記モータ軸４１が回転する時、前記モータ軸４１が前記バネスライダ５５と、前記連動ロッド５８と、前記移動軸７１と、前記第七ベベルギヤ６２とを推し動かして左右へ移動させることができ、前記モータ軸４１の弯曲部が左半分にある時、前記第三ベベルギヤ３９が前記第七ベベルギヤ６２と噛み合っており、これにより前記移動軸７１と、前記スライドキー６０と、前記ウォータポンプ軸５９とを連動させて回転させ、これにより前記ウォータポンプ２３を始動して注水を始める。
【００２２】
他に、一つの実施例の中、前記起動装置１０５は前記長板スライド溝３５の中にスライドできるように装着された長板３４を含み、前記長板３４の中には前記連結管３２と、前記種溝２２と、前記水出パイプ３６と連通できる抜き孔３０が左右対称的に設置され、前記長板３４の左端にはヒンジ連結ロッド５２がヒンジにより連結され、前記ヒンジ連結ロッド５２が前記回転スライダ５１と固定的に連結され、これにより前記モータ軸４１が回転する時に前記ヒンジ連結ロッド５２により前記長板３４の左右移動を連動させることができ、これにより前記水出パイプ３６と前記種溝２２とが間欠的に前記連結管３２に連通し、前記ウォータポンプ２３が作動し始める時に前記水出パイプ３６と前記種溝２２とがちょうど前記連結管３２に連通する。
【００２３】
他に、一つの実施例の中、前記車輪２９はゴムにより制作されるので、田畑を耕す過程において壊れにくい。
【００２４】
他に、一つの実施例の中、前記密封スライダ６５と前記液圧板４３とが前記油チャンバ４２に密着しており、前記密封スライダ６５と前記液圧板４３とがスライドする時、前記油チャンバ４２の中の作動油の漏れは発生しない。
【００２５】
他に、一つの実施例の中、前記復帰バネ５７の弾性が一番大きい時、前記第七ベベルギヤ６２が前記第三ベベルギヤ３９と噛み合っている。
【００２６】
使用する時、まず水を前記加水口２４を通して前記水箱７０の中に入れ、まく予定の種を前記種溝２２の中に入れ、そして前記モータ４０を始動し、これにより前記モータ軸４１を連動させて回転させ、これにより前記第一ベベルギヤ２６と、前記第二ベベルギヤ２８と、前記横軸２７と、前記土掘り返し器４７と、前記第四ベベルギヤ４８と、前記第五ベベルギヤ４９と、前記第六ベベルギヤ５０と、前記車輪軸４６と、前記車輪２９とを連動させて回転させ、これにより前記ハウジング２１の前進と畑を耕すことを制御でき、そして前記モータ軸４１が回転し、前記モータ軸４１が前記バネスライダ５５と、前記連動ロッド５８と、前記移動軸７１と、前記第七ベベルギヤ６２とを推し動かして左右へ移動させることができ、前記モータ軸４１の弯曲部が左半分にある時、前記第三ベベルギヤ３９が前記第七ベベルギヤ６２と噛み合っており、これにより前記移動軸７１と、前記スライドキー６０と、前記ウォータポンプ軸５９とを連動させて回転させ、これにより前記ウォータポンプ２３を始動して注水を始め、前記モータ軸４１が回転する時に前記ヒンジ連結ロッド５２により前記長板３４の左右移動を連動させることができ、これにより前記水出パイプ３６と前記種溝２２とが間欠的に前記連結管３２に連通し、前記ウォータポンプ２３が作動し始める時に前記水出パイプ３６と前記種溝２２とがちょうど前記連結管３２に連通し、水と種の混合物が畑に間欠的に植えられ、曲がる時、作動油により前記液圧板４３と、前記液圧軸４４と、前記第五ベベルギヤ４９とを連動させて上方へ移動させ、これにより前記第五ベベルギヤ４９が前記第六ベベルギヤ５０と前記第四ベベルギヤ４８との噛み合いから離脱し、これにより片側の車輪が回転できなく、これにより転向を完成する。
【００２７】
本発明の有益効果は：本装置は体積が小さく、機能が多く、一人で操作できるなどのメリットを有し、我が国は農地の面積が小さいため、大型機械を使用して耕耘できない問題を克服し、同時に本装置は耕耘すると同時に種をまくことや注水することができ、現有の小型の農業用機械の機能が単一である欠点を克服し、同時に二つの車輪のうち一つが回転してもう一つが回転しないことにより転向を実現し、タンクの転向方式を真似、曲がる半径が小さいメリットを有し、種をまく機能や注水の機能を使用したくない時、装置に水や種を入れなければ良く、また本装置には四つの土掘り返し器が装着され、これにより本装置の作業効率を上げる。
【００２８】
以上に述べたのはただ本発明の具体的な実施方式で、しかし本発明の保護範囲はここに限らないである。全部の創造的な労働を通じなく思いついた変化と取替は本発明の保護範囲にカバーされる。そのため、本発明の保護範囲は権利要求書が限定される保護範囲を標準とする。
【図１】
2020182442.tif 000003
【図２】
2020182442.tif 000004
【図３】
2020182442.tif 000005
【図４】
2020182442.tif 000006
【手続補正書】
【提出日】令和1年12月24日(2019.12.24)
【手続補正１】
【補正対象書類名】特許請求の範囲
【補正対象項目名】全文
【補正方法】変更
【補正の内容】
【特許請求の範囲】
【請求項１】
正面視で、ハウジングを含み、
前記ハウジングの中には動力チャンバが設置され、前記動力チャンバの下側には駆動チャンバが設置され、前記動力チャンバと前記駆動チャンバとの間には農作装置が設置され、前記農作装置はモータ、モータ軸、第三ベベルギヤ、回転スライダ、第一ベベルギヤ、掘り溝、横軸、第二ベベルギヤ、土掘り返し器、第四ベベルギヤから構成されており、
前記農作装置は前記動力チャンバの頂壁に固定的に装着された前記モータを含み、前記モータの中には前記動力チャンバの底壁と回転できるように連結された前記モータ軸が連結され、前記モータ軸の上側には前記第三ベベルギヤが固定的に設置され、前記モータ軸の中側には前記回転スライダが回転できるように連結され、前記モータ軸の下側が下方へ伸びて前記動力チャンバの底壁を貫通して前記駆動チャンバの中に入っており、且つ前記駆動チャンバの頂壁と回転できるように連結され、前記モータ軸の下側には前記第一ベベルギヤが固定的に設置され、前記駆動チャンバの前後両側には前記掘り溝が対称的に設置され、前記駆動チャンバの前後側壁には前記横軸が回転できるように連結され、前記横軸のうち前記駆動チャンバの中に位置している部分には前記第一ベベルギヤと噛み合っている前記第二ベベルギヤが固定的に設置され、前記横軸の両側が前後へ伸びて前記駆動チャンバの前後側壁を貫通して前記掘り溝の中に入っており、且つ前記掘り溝の片側壁と回転できるように連結され、前記横軸のうち前記掘り溝の中に位置している部分にはそれぞれ土を掘り返すことができる二つの前記土掘り返し器が前後対称的に設置され、前記横軸の前後両側にはまた前記第四ベベルギヤが対称的に固定的に設置されたことを特徴とする国情に基づいた小型農業用耕耘機。
【請求項２】
前記掘り溝の片側壁には輪溝が前後対称的に設置され、前記輪溝の中には前記ハウジングの前進や後退や転向を駆動できる回転装置が設置され、前記ハウジングの右側面には握りロッドが前後対称的に設置され、前記握りロッドと前記ハウジングの中には油チャンバが設置され、前記油チャンバと前記掘り溝との間には前記ハウジングを駆動して転向させることができる制御装置が設置され、前記動力チャンバの右側には水箱が設置され、前記水箱と前記動力チャンバの中には注水できる注水装置が設置され、前記動力チャンバの右側壁の上下にはそれぞれバネスライド溝と長板スライド溝とが設置され、前記長板スライド溝と前記動力チャンバの中には前記注水装置の開閉を制御できる起動装置が設置され、前記長板スライド溝の底壁には連結管が左右対称的に設置され、二つの前記連結管の底側が連通しており、且つ二つの前記連結管の底側には下方へ開口した種出管が設置され、前記長板スライド溝の頂壁には種を詰めることができる種溝が設置されたことを特徴とする請求項１に記載の国情に基づいた小型農業用耕耘機。
【請求項３】
前記回転装置は前記輪溝の中に左右対称的に回転できるように装着された車輪軸を含み、前記車輪軸には車輪が固定的に設置され、前記車輪軸の片側が前記掘り溝の方向へ伸びて前記輪溝の片側端壁を貫通して前記掘り溝の中に入っており、且つ前記掘り溝の片側端壁と回転できるように連結され、前記車輪軸の片側には第六ベベルギヤが固定的に設置されたことを特徴とする請求項２に記載の国情に基づいた小型農業用耕耘機。
【請求項４】
前記制御装置は前記油チャンバの頂壁に設置された上方へ開口した開口溝を含み、前記開口溝の中には引き動かしブロックがスライドできるように連結され、前記引き動かしブロックと前記油チャンバとの間には小バネが連結され、前記引き動かしブロックの左側面には密封長ロッドが固定的に設置され、前記密封長ロッドの片側には前記油チャンバとスライドできるように連結された密封スライダが固定的に設置され、前記油チャンバの中にはまた液圧板がスライドできるように連結され、前記液圧板と前記密封スライダとの間には作動油が設置され、前記液圧板の底端には前記油チャンバの底壁と前記掘り溝の頂壁とスライドできるように連結された液圧軸が回転できるように連結され、前記液圧軸の下側には前記第六ベベルギヤと前記第四ベベルギヤと噛み合うことができる第五ベベルギヤが固定的に設置されたことを特徴とする請求項３に記載の国情に基づいた小型農業用耕耘機。
【請求項５】
前記注水装置は前記水箱の後側壁に設置された加水口を含み、前記水箱の底壁には前記長板スライド溝に連通した水出パイプが設置され、前記水箱の底壁にはウォータポンプが固定的に設置され、前記ウォータポンプの中には前記水箱の左側壁と回転できるように連結されたウォータポンプ軸が設置され、前記ウォータポンプ軸が左方へ伸びて前記水箱の左側壁を貫通して前記動力チャンバの中に入っており、且つ前記動力チャンバの右側壁と回転できるように連結され、前記ウォータポンプ軸の上側にはスライドキーが固定的に設置され、前記スライドキーと前記ウォータポンプ軸には移動軸がスライドできるように連結され、前記移動軸には前記第三ベベルギヤと噛み合うことができる第七ベベルギヤが固定的に設置され、前記移動軸には環状溝が設置され、前記バネスライド溝の中にはバネスライダがスライドできるように連結され、前記バネスライダと前記バネスライド溝との間には復帰バネが連結され、前記バネスライダの左側が前記動力チャンバの前後側壁とスライドできるように連結され、前記バネスライダが前記モータ軸と当接することができ、前記バネスライダの頂面には前記環状溝とスライドできるように連結された連動ロッドが固定的に設置されたことを特徴とする請求項２に記載の国情に基づいた小型農業用耕耘機。
【請求項６】
前記起動装置は前記長板スライド溝の中にスライドできるように装着された長板を含み、前記長板の中には前記連結管と、前記種溝と、前記水出パイプと連通できる抜き孔が左右対称的に設置され、前記長板の左端にはヒンジ連結ロッドがヒンジにより連結され、前記ヒンジ連結ロッドが前記回転スライダと固定的に連結されたことを特徴とする請求項５に記載の国情に基づいた小型農業用耕耘機。
【請求項７】
前記車輪はゴムにより制作されるので、田畑を耕す過程において壊れにくいことを特徴とする請求項３に記載の国情に基づいた小型農業用耕耘機。
【請求項８】
前記密封スライダと前記液圧板とが前記油チャンバに密着しており、前記密封スライダと前記液圧板とがスライドする時、前記油チャンバの中の作動油の漏れは発生しないことを特徴とする請求項４に記載の国情に基づいた小型農業用耕耘機。
【請求項９】
前記復帰バネの弾性が一番大きい時、前記第七ベベルギヤが前記第三ベベルギヤと噛み合っていることを特徴とする請求項５に記載の国情に基づいた小型農業用耕耘機。